(57)【要約】【課題】高級感のある形状としてもコーナー部の剛性を向上させることにより、コーナー部を持っても撓みにくく、内容物の移動や蓋外れなどのトラブルが生じ難い容器の提供。【解決手段】熱可塑性樹脂シートを成形して得られ、底部とその周縁の側壁とからなる多角形の容器であって、前記側壁は、少なくとも上向き外側に緩やかに傾斜した拡張側壁を含み、少なくとも一つのコーナー部が辺の中間部よりも高く、前記拡張側壁は、それぞれ、平面、下に凸の曲面、平面と下に凸の曲面を滑らかに繋ぎ合わせた面からなる群から選択される２つ以上の面を組み合わせた面で形成され、前記拡張側壁の２つの面が交わる稜線の頂部の断面形状は、逆Ｖ字状をなしており、前記底部と側壁との境界、側壁と拡張側壁との境界、及び拡張側壁の２つの面が交わる稜線のうち、コーナー部を起点とするのは稜線のみであることを特徴とする容器。【選択図】図１
0003130506.tif 000002
【実用新案登録請求の範囲】
【請求項１】
熱可塑性樹脂シートを成形して得られ、底部とその周縁の側壁とからなる多角形の容器であって、
前記側壁は、少なくとも上向き外側に緩やかに傾斜した拡張側壁を含み、
少なくとも一つのコーナー部が辺の中間部よりも高く、
前記拡張側壁は、それぞれ、平面、下に凸の曲面、平面と下に凸の曲面を滑らかに繋ぎ合わせた面からなる群から選択される２つ以上の面を組み合わせた面で形成され、
前記拡張側壁の２つの面が交わる稜線の頂部の断面形状は、逆Ｖ字状をなしており、
前記底部と側壁との境界、側壁と拡張側壁との境界、及び拡張側壁の２つの面が交わる稜線のうち、コーナー部を起点とするのは稜線のみであることを特徴とする容器。
【請求項２】
前記稜線の少なくとも一部が容器のコーナー部を起点として放射状に形成されていることを特徴とする請求項１に記載の容器。
【請求項３】
前記稜線が、前記拡張側壁と底部との境界又は側壁と拡張側壁との境界に達するか、或いは隣接する位置まで延長されていることを特徴とする請求項１又は２に記載の容器。
【請求項４】
容器の開口部は、側壁の先端を下方又は斜め下方に折り曲げて垂下部が設けられ、容器のコーナー部は、隣り合う２辺の側壁のそれぞれに形成された稜線の少なくとも２本の起点であることを特徴とする請求項１又は２に記載の容器。
【請求項５】
容器が平面視四辺形であり、該容器の４つのコーナー部が全て辺の中間部よりも高い構造であることを特徴とする請求項１〜４のいずれかに記載の容器。
【請求項６】
底部下面に複数の脚部が設けられたことを特徴とする請求項５に記載の容器。
【請求項７】
平板状をなす底部の周縁から、拡張側壁を含む側壁が斜め上方に向けて形成されたことを特徴とする請求項５に記載の容器。
【請求項８】
平板状をなす底部の周縁から、第１側壁が立設され、該側壁の先端から拡張側壁を含む第２側壁が斜め上方に向けて形成されたことを特徴とする請求項５に記載の容器。
【考案の詳細な説明】
【技術分野】
【０００１】
本考案は、ポリスチレン系樹脂発泡シートなどの熱可塑性樹脂シートを所望の形状に熱成形して作製された食品包装用トレーなどの包装用容器に関する。
【背景技術】
【０００２】
従来より、鮮魚、食肉、果物、野菜、調理済み食品などの多種の食品等を包装するための容器として、ポリスチレン系樹脂発泡シートなどの熱可塑性樹脂シートを所望の形状に熱成形して作製された食品包装用トレーなどの包装用容器が汎用されている。
従来から使用されている食品包装用トレーは、主な役割が包装と運搬であり、食器としての見栄えは充分に考慮されておらず、形状が平凡で、高級な食品をアピールする効果に欠けていた。
【０００３】
本考案に関連すると思われる従来技術として、特許文献１が挙げられる。
特許文献１には、熱可塑性樹脂シートを所望の形状に熱成形して作製された平面視略四角形の包装用容器が開示されている。
特許文献１に開示された包装用容器は、容器の側壁高さが全て同じであり、側壁には曲線状の段部を介して、該段部よりも下部の側壁部と、該段部よりも上部の傾斜した側壁とが設けられた構造になっている。
【特許文献１】意匠登録第１２２５７２８号公報
【考案の開示】
【考案が解決しようとする課題】
【０００４】
近年、食品包装用容器においては、「包装用容器」としての役割に「食器」としての役割を付加し、消費者が購入して持ち帰り、そのまま食卓に出すことができる高級感のあるデザインが採用されつつある。
しかしながら、特許文献１に開示された包装用容器は、側壁に曲線状の段部を設けてあるものの、容器の側壁高さが全て同じであり、包装用容器として用いる場合には申し分無いが、前述したように食器としてこれを使用するには、不向きであった。
また、特許文献１に開示された包装用容器は、側壁に曲線状の段部が設けられ、容器の各コーナー部ではその段部が側壁上端に接する様になっているため、コーナー部では底部と側壁上端までの間にリブとなる段部が存在しないために、強度が弱くなってしまう。そのため、この包装用容器に食品を収容し、展示された容器を取り上げる際に、コーナー部を指で挟んで持ち上げると、コーナー部が折れ曲がって容器本体が傾き、蓋が外れたり、中の食品が移動したり、汁がこぼれたりするトラブルが発生する恐れがある。
【０００５】
本考案は前記事情に鑑みてなされ、食器としての役割を果たす高級感のある形状とすることができ、コーナー部の剛性を向上させることにより、コーナー部を持っても撓みにくく、内容物の移動やフタが外れるなどのトラブルが生じ難い容器の提供を目的とする。
【課題を解決するための手段】
【０００６】
前記目的を達成するため、本考案は、熱可塑性樹脂シートを成形して得られ、底部とその周縁の側壁とからなる多角形の容器であって、
前記側壁は、少なくとも上向き外側に緩やかに傾斜した拡張側壁を含み、
少なくとも一つのコーナー部が辺の中間部よりも高く、
前記拡張側壁は、それぞれ、平面、下に凸の曲面、平面と下に凸の曲面を滑らかに繋ぎ合わせた面からなる群から選択される２つ以上の面を組み合わせた面で形成され、
前記拡張側壁の２つの面が交わる稜線の頂部の断面形状は、逆Ｖ字状をなしており、
前記底部と側壁との境界、側壁と拡張側壁との境界、及び拡張側壁の２つの面が交わる稜線のうち、コーナー部を起点とするのは稜線のみであることを特徴とする容器を提供する。
【０００７】
本考案の容器において、前記稜線の少なくとも一部が容器のコーナー部を起点として放射状に形成されていることが好ましい。
【０００８】
本考案の容器において、前記稜線が、前記拡張側壁と底部との境界又は側壁と拡張側壁との境界に達するか、或いは隣接する位置まで延長されていることが好ましい。
【０００９】
本考案の容器において、容器の開口部は、側壁の先端を下方又は斜め下方に折り曲げて垂下部が設けられ、容器のコーナー部は、隣り合う２辺の側壁のそれぞれに形成された稜線の少なくとも２本の起点であることが好ましい。
【００１０】
本考案において、容器が平面視四辺形であり、該容器の４つのコーナー部が全て辺の中間部よりも高い構造であることが好ましい。
【００１１】
前記平面視四辺形の容器において、底部下面に複数の脚部が設けられたことが好ましい。
【００１２】
前記平面視四辺形の容器において、平板状をなす底部の周縁から、拡張側壁を含む側壁が斜め上方に向けて形成されたことが好ましい。
【００１３】
前記平面視四辺形の容器において、平板状をなす底部の周縁から、第１側壁が立設され、該側壁の先端から拡張側壁を含む第２側壁が斜め上方に向けて形成されたことが好ましい。
【考案の効果】
【００１４】
本考案によれば、食器としての役割を果たす高級感のある形状とすることができ、コーナー部の剛性を向上させることにより、コーナー部を持っても撓みにくく、内容物の移動やフタが外れるなどのトラブルが生じ難い容器を提供することができる。
【考案を実施するための最良の形態】
【００１５】
［第１実施形態］
以下、図面を参照して本考案の実施形態を説明する。
図１〜図４は、本考案の容器の第１実施形態を示す図であり、図１は第１実施形態の容器１の斜視図、図２は容器１の平面図、図３は容器１の正面図、図４は容器１の側面図である。これらの図中、符号１は容器、１０は底部、１１は一方の拡張側壁（以下、側壁Ａ面と記す。）、１２は他方の拡張側壁（以下、側壁Ｂ面と記す。）、１３は側壁（以下、側壁Ｃ面と記す。）、１４及び１５は稜線、１６は縁部、１７は垂下部、１８は脚部、１９は境界線である。
【００１６】
本実施形態の容器１は、熱可塑性樹脂シートを成形して得られ、底部１０とその周縁の側壁１１，１２，１３とからなる平面視四辺形の容器であり、側壁１１，１２，１３は、底部１０の周縁から垂直に近い角度で立設された側壁Ｃ面１３と、該側壁Ｃ面１３及び底部１０の一部の周縁から、上向き外側に緩やかに傾斜して延出した拡張側壁である側壁Ａ面１１及び側壁Ｂ面１２と、底部１０から下方に突出形成された２つの脚部１８とからなっている。この容器１は、４つのコーナー部が辺の中間部よりも高く、前記拡張側壁は、下に凸の曲面である側壁Ａ面１１と側壁Ｂ面１２とを組み合わせた面で形成されている。
【００１７】
本実施形態の容器１において、拡張側壁である側壁Ａ面１１及び側壁Ｂ面１２の２つの面が交わる稜線１４，１５の頂部の断面形状は、逆Ｖ字状をなしており、前記底部１０と側壁Ｃ面１３との境界線１９と、拡張側壁の２つの面が交わる稜線１４，１５のうち、コーナー部を起点とするのは稜線１４，１５のみになっている。
【００１８】
容器１の材質と厚みは、従来周知の包装用容器に使用される熱可塑性樹脂シート、例えば、ポリスチレン系樹脂シート、ポリエチレン系樹脂シート、ポリプロピレン系樹脂シート、ポリエチレンテレフタレート系樹脂シートなどの熱可塑性樹脂シートであれば良く、特に限定されない。この容器１は、前記熱可塑性樹脂シートを熱成形（真空成形、圧空成形、真空圧空成形、熱板成形など）することによって作製される。熱可塑性樹脂シートは、非発泡シートであっても、低発泡倍数の発泡シートであっても良く、また複数種の樹脂シートや樹脂フィルムを積層した積層シートであってもよい。さらに、この熱可塑性樹脂シートには、所望の色調の図柄、マーク、記号、文字や数字等の印刷を施したフィルムを積層することもできる。
【００１９】
本実施形態の容器１において、前記稜線１４，１５は、容器１のコーナー部を起点として放射状に形成されている。
本実施形態の容器１において、前記稜線１４，１５は、底部１０との境界又は側壁Ｃ面１３と側壁Ｂ面１２との境界に達するか、或いは隣接する位置まで延長されている。
【００２０】
本実施形態の容器１において、容器の開口部は、側壁Ａ面１１の先端を下方又は斜め下方に折り曲げて垂下部１７が設けられ、容器１のコーナー部は、隣り合う２辺の側壁Ａ面１１のそれぞれに形成された稜線１４，１５の起点になっている。なお、コーナー部の先端は、Ｒ形状でも面取りしていてもよい。また、側壁Ａ面１１の先端と垂下部１７との間には、実質的に水平な部分を設けていない。
【００２１】
前記平面視四辺形の容器において、底部１０と側壁Ｃ面１３の下部及び脚部１８には、運搬、保管、食品の移動、偏り、或いは食品から出た汁が食品に再付着して食味を損なうなどのトラブルを防止したり、陳列時の見栄えを良くしたりするために、溝、突起、リブ、足などを設けることができる。
【００２２】
本実施形態の容器１は、コーナー部を辺の中間より高くし、見栄えの良い拡張側壁である側壁Ａ面１１及び側壁Ｂ面１２、それらの境界となる稜線１４，１５を有する構成としたので、食器としての役割を果たす高級感のある形状とすることができる。また、コーナー部に稜線１４，１５が集束される構成としたので、コーナー部の剛性を向上させることができ、コーナー部を持っても撓みにくく、内容物の移動やフタが外れるなどのトラブルが生じ難い容器を提供することができる。
【００２３】
［第２実施形態］
図５は、本考案の容器の第２実施形態を示す斜視図である。図中、符号２は容器、２０は底部、２１は側壁Ａ面、２２は側壁Ｂ面、２４及び２５は稜線、２６は縁部、２７は垂下部、２９は境界線である。
【００２４】
本実施形態の容器２は、熱可塑性樹脂シートを成形して得られ、底部２０とその周縁の側壁２１，２２とからなる平面視四辺形の容器であり、側壁２１，２２は、底部１０の周縁から斜め上向きに広がる拡張側壁である側壁Ａ面１１及び側壁Ｂ面１２とからなっている。この容器２は、４つのコーナー部が辺の中間部よりも高く、前記拡張側壁は、下に凸の曲面である側壁Ａ面２１と側壁Ｂ面２２とを組み合わせた面で形成されている。本実施形態の容器２は、底部２０が平底であり、脚部は設けられていないが、底部２０には溝、突起、リブ、足などを設けることができる。
【００２５】
本実施形態の容器２において、拡張側壁である側壁Ａ面２１及び側壁Ｂ面２２の２つの面が交わる稜線２４，２５の頂部の断面形状は、逆Ｖ字状をなしており、前記底部２０と側壁との境界線２９と、拡張側壁の２つの面が交わる稜線２４，２５のうち、コーナー部を起点とするのは稜線２４，２５のみになっている。
【００２６】
本実施形態の容器２における他の特徴は、前述した第１実施形態の容器１の対応する構成要素とほぼ同じである。
【００２７】
本実施形態の容器２は、前述した第１実施形態の容器１と同様に、コーナー部を辺の中間より高くし、見栄えの良い拡張側壁である側壁Ａ面２１及び側壁Ｂ面２２、それらの境界となる稜線２４，２５を有する構成としたので、食器としての役割を果たす高級感のある形状とすることができる。また、コーナー部に稜線２４，２５が集束される構成としたので、コーナー部の剛性を向上させることができ、コーナー部を持っても撓みにくく、内容物の移動やフタが外れるなどのトラブルが生じ難い容器を提供することができる。
【００２８】
［第３実施形態］
図６は、本考案の容器の第３実施形態を示す斜視図である。図中、符号３は容器、３０は底部、３１は側壁Ａ面、３２は側壁Ｂ面、３３は側壁Ｃ面、３４及び３５は稜線、３６は縁部、３７は垂下部、３９は境界線である。
【００２９】
本実施形態の容器３は、熱可塑性樹脂シートを成形して得られ、底部３０とその周縁の側壁３１，３２，３３とからなる平面視四辺形の容器であり、側壁３１，３２，３３は、底部３０の周縁全周から垂直に近い角度で立設された側壁Ｃ面３３と、該側壁Ｃ面３３から、上向き外側に緩やかに傾斜して延出した拡張側壁である側壁Ａ面３１及び側壁Ｂ面３２とからなっている。この容器３は、４つのコーナー部が辺の中間部よりも高く、前記拡張側壁は、下に凸の曲面である側壁Ａ面３１と側壁Ｂ面３２とを組み合わせた面で形成されている。
【００３０】
本実施形態の容器３において、拡張側壁である側壁Ａ面３１及び側壁Ｂ面３２の２つの面が交わる稜線３４，３５の頂部の断面形状は、逆Ｖ字状をなしており、前記底部３０と側壁Ｃ面３３との境界線３９と、拡張側壁の２つの面が交わる稜線３４，３５のうち、コーナー部を起点とするのは稜線３４，３５のみになっている。
【００３１】
本実施形態の容器３における他の特徴は、前述した第１実施形態の容器１の対応する構成要素とほぼ同じである。
【００３２】
本実施形態の容器３は、前述した第１実施形態の容器１及び第２実施形態の容器２と同様に、コーナー部を辺の中間より高くし、見栄えの良い拡張側壁である側壁Ａ面３１及び側壁Ｂ面３２、それらの境界となる稜線３４，３５を有する構成としたので、食器としての役割を果たす高級感のある形状とすることができる。また、コーナー部に稜線３４，３５が集束される構成としたので、コーナー部の剛性を向上させることができ、コーナー部を持っても撓みにくく、内容物の移動やフタが外れるなどのトラブルが生じ難い容器を提供することができる。
【図面の簡単な説明】
【００３３】
【図１】本考案の第１実施形態の容器の斜視図である。
【図２】本考案の第１実施形態の容器の平面図である。
【図３】本考案の第１実施形態の容器の正面図である。
【図４】本考案の第１実施形態の容器の側面図である。
【図５】本考案の第２実施形態の容器の斜視図である。
【図６】本考案の第３実施形態の容器の斜視図である。
【符号の説明】
【００３４】
１，２，３…容器、１０，２０，３０…底部、１１，２１，３１…側壁Ａ面（一方の拡張側壁）、１２，２２，３２…側壁Ｂ面（他方の拡張側壁）、１３，３３…側壁Ｃ面、１４，１５，２４，２５，３４，３５…稜線、１６，２６，３６…縁部、１７，２７，３７…垂下部、１８…脚部、１９，２９，３９…境界線。
【図１】
0003130506.tif 000003
【図２】
0003130506.tif 000004
【図３】
0003130506.tif 000005
【図４】
0003130506.tif 000006
【図５】
0003130506.tif 000007
【図６】
0003130506.tif 000008